(57)【特許請求の範囲】
【請求項１】
画像読み取りサイズを超える大きさの原稿画像を処理する画像情報処理装置において、
前記原稿画像を、前記画像読み取りサイズをもとに分割して読み込む手段と、
前記読み込まれた分割画像を所定のライン単位で記憶する記憶手段と、
前記分割画像を合成するために、前記記憶手段に設定された基準位置から当該分割画像のエッジ部までの距離を、前記ライン単位に検出する検出手段と、
前記検出手段による検出に基づいて、前記分割画像を合成する合成手段とを有し、
前記合成手段は、前記検出手段が検出した前記ライン単位の距離のうち、前記基準位置までの距離が短い一のラインの距離を移動量として、前記分割画像を前記基準位置に移動させ、当該基準位置までの距離が前記一のラインより長い他のラインのエッジ部に存在する黒色画像を除去して、前記分割画像を合成することを特徴とする画像情報処理装置。
【請求項２】
前記検出手段は、前記基準位置から所定のラインのエッジ部までの距離を基準データとし、当該基準データと、前記基準位置から他のラインのエッジ部までの距離とをライン単位に比較し、当該比較の結果が許容範囲を超える場合、当該他のラインのエッジ部については、前記基準データに基づき新たな仮想エッジを設定することを特徴とする請求項１に記載の画像情報処理装置。
【発明の詳細な説明】
【０００１】
【産業上の利用分野】
本発明は、特にスキャナ等の画像読み取りサイズより大きな原稿画像を処理する画像情報処理装置に関するものである。
【０００２】
【従来の技術】
従来より、複写機等の画像合成装置において、その装置を構成するスキャナ等の読み取りサイズより大きなカラー原稿画像や中間調の原稿画像を画像合成するものが知られている。例えば、特開平５−１４５７４２号公報に開示される画像合成装置では、スキャナの最大読み取りサイズより大きい原稿画像を読み取る場合、１枚の原稿画像を分割して読み取り、各分割画像をメモリ容量や原稿サイズ、出力サイズ等により縮小して、各分割画像が読み取り順と読み取り状態に応じて１つの原稿画像に合成し、出力するように構成されている。
【０００３】
また、電子ファイル等の画像情報処理装置として、そのスキャナ等の画像読み取りサイズより大きな原稿画像を、通常の原稿画像を読み取り、光磁気ディスク等の記録媒体に記録するのと同様に、簡単に記録できるものが知られている。
【０００４】
【発明が解決しようとする課題】
しかしながら、上記従来の画像合成装置では、処理のために原稿を平行移動させたり、上下方向または左右方向を反転させたりしなければならず、画像の合成部分がずれないように合わせるのに手間がかかる。また、１つの原稿を光磁気ディスク等の記録媒体に記録するのに、通常の記録時間に比べて時間が長くなるという問題がある。
【０００５】
さらに、上記従来の画像情報処理装置では、写真等の中間調原稿を画像合成したときに、その合成部が目立つという問題がある。
【０００６】
本発明は、上述の課題に鑑みてなされたもので、その目的とするところは、スキャナ等の画像読み取りサイズより大きな写真等の中間調原稿画像を、通常の原稿画像を処理するのと同様に簡単に、そして、合成部が目立たないように処理できる画像情報処理装置を提供することである。
【０００７】
【課題を解決するための手段】及び【作用】
上記目的を達成するために、本発明にかかる画像読み取りサイズを超える大きさの原稿画像を処理する画像情報処理装置は、前記原稿画像を、前記画像読み取りサイズをもとに分割して読み込む手段と、前記読み込まれた分割画像を所定のライン単位で記憶する記憶手段と、前記分割画像を合成するために、前記記憶手段に設定された基準位置から当該分割画像のエッジ部までの距離を、前記ライン単位に検出する検出手段と、前記検出手段による検出に基づいて、前記分割画像を合成する合成手段とを有し、前記合成手段は、前記検出手段が検出した前記ライン単位の距離のうち、前記基準位置までの距離が短い一のラインの距離を移動量として、前記分割画像を前記基準位置に移動させ、当該基準位置までの距離が前記一のラインより長い他のラインのエッジ部に存在する黒色画像を除去して、前記分割画像を合成することを特徴とする。
【０００９】
【実施例】
以下、添付図面を参照して、本発明に係る好適な実施例を詳細に説明する。
【００１０】
図１は、本発明の実施例に係る画像情報処理装置の基本構成を示すブロック図である。また、図２は、本実施例に係る画像情報処理装置の詳細構成を示すブロック図である。
【００１１】
図１において、画像読取部２００は、例えば、図２に示す右半面用ＣＣＤ１１１ａ、左半面用ＣＣＤ１１１ｂ、アンプ２０ａ，２０ｂ、合成部３６、Ａ／Ｄ変換部２１にて構成される。
【００１２】
図１の原稿エッジ検知部２０１は、図２の画像処理部２２に対応し、同様に、分割疑似多値処理部２０２は疑似多値処理部２３に、画像合成部２０３は、グラフィックＲＡＭ１３にそれぞれ対応する。また、画像記憶部２０４は、圧縮部２４、ディスクデータフローコントローラ２６、ディスクＩ／Ｆ２７、光磁気ディスクドライブ１１５、光磁気ディスク３５にて構成され、制御部２０５は、ＣＰＵ１０、ＲＯＭ１１、及びＲＡＭ１２にて構成される。
【００１３】
図３は、本実施例に係る装置の外観図、また、図４は、当該装置の内部透視図である。図３に示す外観図及び図４に示す透視図において、１は、記録の対象となる画像情報を有する原稿、２は原稿台、３ａ，３ｂは、原稿の搬送を規正する規正板、４は排紙部、５は、画像情報あるいは操作指示等を表示するスクリーン、６は、光磁気ディスクを挿入する挿入口、７は、画像検索の際のキーワードの入力等を行なうためのキーボード、そして、３４は、各種操作を指示するためのファンクションキーである。
【００１４】
そこで、本実施例に係る装置の動作を、順を追って詳細に説明する。
（１）画像インデックスの記録
まず、実際の原稿画像の記録に先立ち、「画像インデックス」と称する、今後、記録しようとする原稿に関連のある象徴画像をあらかじめ光磁気ディスク３５に記録する。この動作は、一般的に原稿画像の記録と同様に行なわれ、１つのインデックス画像の記録毎に、例えば、図５に示すように「部品」の文字画像を含むインデックス画像は、以降、画面の左上に表示されるように、という旨の指示をファンクションキー３４を用いて行なう。
【００１５】
ここで、図５において、ファンクションキー３４は横方向、一列に配されているが、例えば、左端のファンクションキー（”１”の文字が付されているキー）を２回押すことにより、画面の表示された枠の内、左側の上から２番目の枠の指定ができるように構成されている。そして、このような操作にて複数の画像インデックスが記録されると、光磁気ディスク３５上には、図６に示すたようなインデックス画像データファイルが生成される。
【００１６】
なお、光磁気ディスク３５は、その媒体内部に、図２９に示すような格納領域を有しており、また、本実施例に係る装置は、図３０に示すような論理アドレステーブルに従って動作している。
（２）インデックスの選択
原稿画像の記録の際には、まず、実際の原稿の記録動作に先立って、図７に示すような表示がなされる。そして、操作者は、これから記録しようとする原稿に関係のあるインデックス画像を、ファンクションキー３４を用いて選択する。例えば、部品の図面を記録しようとした場合には、符号ａ，ｅにて示されたインデックス画像を選択する。
【００１７】
ここで、インデックス画像ａ，ｅを選択したことにより、図６に示すように、選択されたインデックス画像に対応するビット位置に”１”が立った、画像インデックスパターンが生成される。
【００１８】
なお、図７において符号ｇ，ｈにて示される欄に、キーボードから、これから記録しようとする原稿のキーワード、あるいは、キーＮｏ．と称する、後の検索の手だてとなる番号を入力するようにしてもよい。
（３）原稿画像の読み込み
上述のように画像インデックスパターン、あるいはキーワード、キーＮｏ．の入力がなされた後に、スキャナサイズより大きな原稿を記録する際には、例えば、図８に示したように、スキャナが読み取れる大きさに原稿を折り畳み、原稿の左半分を表面画像とし右半分を裏面画像として原稿台２にセットする。そして、キーボード７あるいはファンクションキー３４、または、原稿センサ１２０によって記録動作指示を与えることにより、原稿の搬送が開始される。
【００１９】
原稿の搬送は、初めに、図４に示す送りローラ１０２が、図示の矢印方向に回転して原稿１を給紙する。そして、原稿１は、搬送ローラ１０５ａ，１０５ｂにより、画像読み取り部２００に達する。ここでは、照明ランプ１０６ａ，１０６ｂに照された原稿の画像情報が、ミラー１０７ａ〜１０９ａ，１０７ｂ〜１０９ｂを経てレンズ１１０ａ，１１０ｂに縮小され、それがＣＣＤ１１１ａ，１１１ｂにて読み取られる。
【００２０】
なお、このとき、図９に示すように、裏写し防止のため、右面と左面の画像情報は少しずれて読み取られる。
【００２１】
上記の読み取りが終了した原稿は、排紙ローラ１１２，１１２ｂにより排紙トレー１１３に積載される。
【００２２】
図２に示す駆動系１９は、上記の原稿センサ１２０、及びモータ搬送ローラ１０５ａ，１０５ｂ，１１２ａ，１１２ｂ，搬送ベルト１１４ａ，１１４ｂからなっており、上記の搬送は、ＣＰＵ１０が駆動系インターフエース１８を介して駆動系１９を制御することによって行なわれる。
【００２３】
図２及び図４に示す右半面用ＣＣＤ１１１ａ、及び左半面用ＣＣＤ１１１ｂによって得られた画像信号は、アンプ２０ａ，２０ｂを通り、それぞれが合成部３６に送られる。この合成部３６は、左半面用ＣＣＤ１１１ｂから主走査方向１本分のデータを次段へ通すと、内部の不図示のスイッチング素子を切り替え、次に、右半面用ＣＣＤ１１１ａから主走査方向１本分の画像データを次段へ通す機能を有している。このようにして、左右の画像データは主走査の単位で直列化され、次段のＡ／Ｄ変換部２１へ送られる。
【００２４】
合成部３６からの画像信号は、Ａ／Ｄ変換部２１によって量子化され、その後、画像処理部２２によって、エッジ強調等の画像処理が施され、図１０に示すように、左右の多値画像データとしてグラフィックＲＡＭ１３に格納される。ここでは、このグラフィックＲＡＭ１３に格納された左右の多値画像データに対して、左右の画像部分に対して連続するように公知の疑似多値処理を施こす。
【００２５】
例えば、疑似多値処理として、図１３に示すような組織的なディザ法、及び、図１１に示すような分割方法にて得られた、図１２に示す４×４のディザマトリクスを用いた場合、後述するエッジデータの検出を行ない、画像領域だけにディザマトリクスを当てはめるようにする。このとき、左面の画素数が４で割り切れなかった場合には、その余りにディザマトリクスを当てはめ、残ったディザマトリクスを右面の画像領域の初めから当てはめて２値化していく。
【００２６】
つまり、本実施例では、ディザマトリクスが左右の画像で連続するように当てはめることにより、左右の画像を合成した際に合成部が目立たなくなるようにしている。
【００２７】
なお、疑似多値処理として誤差拡散法を用いても、拡散マトリクスを左右の画像に連続的に当てはめるように分割することで、上記と同様の結果が得られる。
（４）画像の合成
グラフィックＲＡＭ１３に格納された画像データは、ここでは、スキャナの読み取り領域が原稿より広いため、図９に示すように、原稿画像の背景が黒になっている。また、グラフィックＲＡＭ１３上に、画像を合成するための基準位置を設定し、右面画像と左面画像は、この基準位置で合成する。
【００２８】
図１４は、本実施例における画像の合成手順を示すフローチャートである。
【００２９】
本実施例に係る装置では、まず、原稿画像が斜行していないかどうかを判断するために、原稿のエッジ上（ここでは、背景が黒なので、黒から白へ変化する点をエッジとする）の２点を求めて、それらの２点を結ぶ直線の傾きを求める（ステップＳ１）。そして、その傾きにより、原稿が斜行しているか否かを判断して（ステップＳ２）、斜行していれば、所定の斜行補正を行なう（ステップＳ３）。
【００３０】
次に、各ラインについて、グラフィックＲＡＭ１３上の基準位置からエッジまでの距離（エッジデータ）を求め（ステップＳ４）、そのデータに従って、グラフィックＲＡＭ１３の基準位置へ画像データを移動させ、さらに、右側半分の画像を上方向に移動させる（ステップＳ５）。これにより、左右の高さが合わせられ、左右の画像を１つの画像に合成できる。
【００３１】
次に、図１４に示した各動作について詳細に説明する。
【００３２】
最初に、図５に示すフローチャートを参照して、上記の画像の斜行調査について説明する。
【００３３】
図１６に示すように、グラフィックＲＡＭ１３上の基準位置から原稿のエッジと判断できる部分（上述のように、黒から白へ変わるところ）をライン毎にサーチし、最初に各ラインのデータが安定したところを上端、最後にデータが安定したところを下端とする（ステップＳ１１）。ここで、データが安定したところを上端あるいは下端としたのは、原稿が斜行したとき、最初あるいは最後に原稿のエッジと判断できるところ（例えば、図１６のａ点）を、誤って上端あるいは下端と判断しないようにするためである。
【００３４】
そこで、上端、下端と判断された端のメモリ上の位置（ライン数と基準位置からのドット数）により、原稿の傾きを求める（ステップＳ１２）。つまり、その傾きが、図１７の角度ａの範囲内（例えば、８９．８度から９０．２度）であれば（ステップＳ１３での判断がＮＯ）、斜行補正は行なわず（ステップＳ１７）、本処理を終了する。
【００３５】
しかし、図１７の角度ｃの範囲（例えば、９５度以上、あるいは８５度以下等）であれば、斜行が大きすぎるので斜行補正は行なわず（ステップＳ１４での判断がＹＥＳ）、操作者へ異常を通知して、記録をやり直す（ステップＳ１６）。
【００３６】
従って、本実施例では、傾きが、図１７の角度ｂの範囲にある場合にのみ、斜行補正を行なう（ステップＳ１５）。
【００３７】
次に、図６に示すフローチャートを参照して、本実施例における原稿の斜行画像補正について説明する。
【００３８】
上述した斜行調査処理にて求めた上端と下端により、傾きの方向を求める（ステップＳ３１）。そして、その傾きの方向が右上がりであれば（ステップＳ３２での判断がＹＥＳ）、例えば、図１９に示すように、下端Ａを基準にして、求められた傾きの大きさで、図示するようにＸ方向（図において、水平方向）を▲１▼▲２▼▲３▼のように分割し、下端Ａの位置まで、その分割単位で順次、上方向へ移動させる（ステップＳ３３）。
【００３９】
また、図２０に示すように、下端Ｂを基準にして、傾きの大きさでＹ方向（図において、垂直方向）を▲１▼▲２▼▲３▼のように分割し、その分割単位で下端Ｂの位置まで順次、右方向へ移動させる（ステップＳ３４）。
【００４０】
一方、原稿の傾きが右下がりの場合には、上端を基準にして、上記の右上がりの場合と同様な移動処理を行なう（ステップＳ３５，Ｓ３６）。
【００４１】
なお、上記の処理では、傾きが右上がりの場合は下端、右下がりの場合は上端を基準に移動を行なったが、これに限定されず、例えば、移動の基準を傾きが右上がりの場合は上端、傾きが右下がりを下端として行なっても良い。
【００４２】
図２１は、本実施例に係る装置の合成部３６におけるエッジデータ検出処理を説明するフローチャートである。
【００４３】
ここでは、図２２に示すように、上端のエッジデータを基準データ、次のラインのエッジデータを比較データとする（図２１のステップＳ４１）。そして、上端から下端までの各ラインについて、基準データと比較データとの比較が終了したかどうかを判断し（ステップＳ４２）、それが終了していない場合は、比較データと基準データとを比べて、たわみ（搬送時における原稿のバタツキ等）の許容範囲内か否かを判断する（ステップＳ４３）。
【００４４】
たわみの許容範囲内であれば、比較データを基準データ、次のラインのエッジデータを比較データにするが（ステップＳ４４）、それが範囲外であれば、基準データはそのままにし、次のラインのエッジデータを比較データにする（ステップＳ４５）。そして、上記の比較が終了した後、基準データにならなかったエッジデータについては、基準となったエッジ同士を結んでできた新たなエッジを仮想エッジとする（ステップＳ４６）。
【００４５】
次に、図２３に示すフローチャートを参照して、本実施例における画像の移動（図１４のステップＳ５）について説明する。
【００４６】
図２４に示すように、上述のエッジデータ検出にて求めたエッジデータに従って、各ライン毎に、グラフィックＲＡＭ１３の基準位置へ画像データを移動させる（ステップＳ５１）。このとき、図２５に示すように、原稿の文字や図形は歪んでいないのにエッジがデコボコになっている場合がある。これは、ＣＣＤ等によるデジタル誤差によるもので、このエッジデータに従ってＲＡＭの基準位置へ画像データを移動させると、図２５の右上の符号２５０１にて示された画像ように、歪んでいないはずの文字や図形が歪んでしまう。
【００４７】
そこで、本実施例では、エッジデータの小さい値で画像データを移動させることにより、文字や図形を歪ませないようにする。このとき、図２５の真ん中（２５０２）のように、エッジデータの小さい値で画像データを移動したため、画像の合成部に黒筋や黒点ができる。
【００４８】
つまり、図２５の左下（２５０３）に示すように、この黒筋や黒点のビットを反転させることで、文字や図形を歪ませないで、かつ、画像の合成部に黒筋や黒点を除去する（ステップＳ５２）。そして、右側半分の画像を上方向に移動させて、左右の高さを合わせる（ステップＳ５３）。さらに、この合成した画像のエッジに沿って画像を切り出し、その画像を片面の画像データとすることにより、データ量の少ない、見た目がきれいな画像データとして記録する（ステップＳ５４）。
【００４９】
このようにして、左右に分割された画像を元の原稿画像として合成する事ができる。
【００５０】
本実施例では、基準位置への移動を先に行なったが、上方向の移動を先に行なっても良い。
（５）画像の記録
上述した左右の画像合成手順により、片面の画像データとなった画像データには、圧縮部２４によって、ＭＨ，ＭＲ，ＭＭＲ等の公知の画像情報圧縮が行なわれた後、圧縮データバッファ３３ａ、あるいは圧縮データバッファ３３ｂのいずれかに格納される。そして、格納された圧縮画像データは、ディスクインターフエース２７を介して光磁気ディスクドライブ１１５へ送られて、光磁気ディスク３５に書き込まれる。
【００５１】
ここで、圧縮データバッファとして圧縮データバッファ３３ａ，３３ｂの２つを備えているのは、例えば、圧縮データバッファ３３ａの圧縮画像データを光磁気ディスク３５に書き込んでいる最中にも、次の原稿を走査して、その圧縮画像データを圧縮データバッファ３３ｂに格納できるようにするためである。これにより、前の原稿の画像データが光磁気ディスクに書き込まれるのが終了するまで、次の原稿の走査を待たなければならないという制約が回避でき、原稿の記録速度が向上する。
【００５２】
このようにして、文書の記録が終了した時点では、光磁気ディスク３５上に存在する、図２６に示した文書管理ファイルに、そのときの文書の記録が生成されている。例えば、上述の「部品図面」では、図２６の２段目に、上記画像インデックスパターンである「１０００１０…」（図６参照）、キーワードである”部品図面”、キーＮｏ．である”１５０”等が含まれるレコードが生成されている。また、その他にも、図２に示す計時ユニット１５より得られた、作成日時（記録日時）、総ページ数等が記されている。
【００５３】
記録された文書の各々のページに関する情報は、図２７に示すページ管理ファイルに記される。上記の文書管理ファイルの中の”ページファイルポインタ”は、このページ管理ファイル中の何番目のレコードが、そのときに記録した文書の最初のページに関するものであるかを意味する。このページについての記録には、表裏モード、すなわち、そのページが、上述したように、両面で読み取られたものか、片面で読み取られたものか、また、合成したページか等についても記録されている。
【００５４】
本実施例においては、光磁気ディスク３５上の画像データ、すなわち、上述した圧縮画像データのディスク上の位置は、図２８に示したｎｏｄｅテーブルというデータテーブルを、光磁気ディスク３５上に保有することによって管理されている。このｎｏｄｅテーブルは、周知のＦＡＴ（ファイルアロケーションテーブルであり、例えば、図３１にその例を示す）のどの位置が、そのページの圧縮画像ファイルについてのものであるかを示すＦＡＴエントリ（上記の例では、６２Ｂ０）と、その圧縮画像データのサイズ（バイト数）を１レコードとするテーブルであり、このｎｏｄｅテーブルの何レコード目かという量を”ｎｏｄｅ”と称しており、先の、図２７のページ管理ファイルに、ページ毎に記されている。
【００５５】
原稿の記録動作は、上述したように、圧縮画像データが光磁気ディスク３５上に書き込まれ、ｎｏｄｅテーブル、ページ管理ファイル、文書管理ファイルに、それぞれレコードが追加されることによって終了する。
（６）画像の検索
検索時には、図７と同様な表示がディスプレイ３２上に表示され、操作者は、ファンクションキー３４を用いて画像インデックスを選択する。なお、キーワード、キーＮｏ．を、図７に示すｇ，ｈの領域にキーボード７より入力してもよい。次に、ＣＰＵ１０は、文書管理ファイルを１レコードずつ調べ、選択あるいは入力された画像インデックスパターン、あるいはキーワード、キーＮｏ．に一致するレコードを選択する。
【００５６】
ここで、選択された画像インデックスが、例えば、図７の「部品」の文字画像を含む画像インデックスａのみであった場合、「図面」の文字画像を含む画像インデックスは選択されていないので、画像インデックスパターンは、図６に示すものとは異なり、図中の符号ｅに対応するビットは０である。
【００５７】
しかしながら、図２６に示す文書管理ファイルの記録を調べる際には、検索時に入力された画像インデックスパターンにおいて”１”が立っているビット位置と同じ位置に”１”が立っている画像インデックスパターンを保有する記録の全てを選択するので、上記の例では、図２６に示された内、１番上の「部品カタログ」、２番目の「部品図面」、及び次の「部品図面」が選択されることとなる。
【００５８】
ここで、キーＮｏ．として”１５０”が入力されていれば、２番目の「部品図面」のみが選択され、キーワードとして「部品図面」が入力されたのであれば、２番目の「部品図面」と、その次の「部品図面」が選択される。このように、複数の文書が検索された場合は、それらの内のいずれかを、再度、操作者がキーボード７を用いて選択する。
【００５９】
最終的に１つの文書が選択されると、その記録のページファイルポインタ、図２７のページ管理ファイルから、その文書の第１ページの記録が選択され、さらに、ｎｏｄｅが特定されることにより、図２８に示すｎｏｄｅテーブルから第１ページのＦＡＴエントリを得ることになる。
（７）画像の表示
前述のＦＡＴを辿ることによって論理アドレス列を得、光磁気ディスク３５上の所望の圧縮画像データの特定が行なわれた後、ＣＰＵ１０がディスクインターフエース２７を制御することにより、光磁気ディスクドライブ１１５より圧縮データが読み出される。
【００６０】
このとき、ＣＰＵ１０の制御によって、ディスクデータフローコントローラ２６は、ディスクインターフエース２７からの圧縮画像データを伸長部２５へ送るように機能する状態となっている。また、出力データフローコントローラ３０は、伸長部２５からの画像データをグラフィックＲＡＭ１３に格納し、ディスプレイ３２に表示するように機能する旨の指示がＣＰＵ１０よりなされる。
【００６１】
本実施例では、このようにして、光磁気ディスク３５上の圧縮画像データの表示がなされる。
【００６２】
以上説明したように、本実施例によれば、スキャナ幅より大きな写真原稿等の中間調原稿を記録する際、読み込んだ画像に対する方向補正を行なうことで、原稿を平行移動させたり、その上下方向または左右方向を判定せずに、スキャナの読み取りサイズより大きな画像を、通常サイズの原稿と同様に簡単に記録ができるという効果がある。
【００６３】
また、読み込んだ画像の境界部においても連続に疑似多値処理を行なうことで、画像の合成部が目立たないようにできる。
【００６４】
なお、上記実施例では、記録時に画像を合成して記憶しているが、記録時には画像を合成しないで、検索後、画像を表示するときに画像を合成するようにしても良い。また、画像の読み取りにＣＣＤを２つ用いているが、１個のＣＣＤを複数回用いたり、あるいは、３つ以上のＣＣＤを用いるようにしても良い。
【００６５】
さらに、上記実施例では、疑似多値処理を行なった後、画像合成を行なっているが、先に多値の画像合成を行なってから画像合成を行なうようにしても良い。
＜変形例＞
以下、上記実施例の変形例について説明する。
【００６６】
図３２，図３３は、それぞれ、本変形例に係る画像情報処理装置の基本構成及び全体構成を示すブロック図である。
【００６７】
図３２に示す画像読み取り部３００は、図３３に示す、複数原稿の連続搬送可能な画像読み取り装置５９、スキャナ制御部５５にて構成され、同様に、画像記録部３０１は、光磁気ディスク５７とディスク制御部５２にて、画像合成部３０２は、ＶＲＡＭ５３と画像合成部６１にて、疑似多値処理部３０３は、ＶＲＡＭ５３と疑似多値処理部６２にて、画像出力部３０４は、レーザビームプリンタ５８とプリンタ制御部５４にて、そして、制御部３０５は、ＣＰＵ５１、ＲＯＭ５１ｂ、ＲＡＭ５１ａにて構成されている。
【００６８】
そこで、以下、本変形例に係る装置の動作について述べる。
【００６９】
図３３において、パーソナルコンピュータ５０は、各種情報を記憶するためのＲＡＭ５１ａ、図３４及び図３５に示す処理手順を実現するためのプログラムが格納されているＲＯＭ５１ｂ、それらを制御するＣＰＵ５１、画像データを蓄積するための光磁気ディスク５７を制御するディスク制御部５２、画像を合成するためのＶＲＡＭ５３、画像データを出力するためのレーザビームプリンタ５８を制御するプリンタ制御部５４、原稿画像を読み込むために連続搬送可能な自動原稿送り装置（ＡＤＦ）付き画像読み取り装置５９を制御するスキャナ制御部５５、各種操作を指示するためのキーボード６０を制御するキーボード制御部５６とにて構成される。
【００７０】
操作者は、図３６に示すように、例えば、Ａ３サイズの原稿を二つに切って、Ａ４サイズの原稿２枚とし、それを、読み取りサイズがＡ４サイズであるスキャナを有する画像読み取り装置５９に設定して、キーボード６０からのキー入力により、図３４に示す記憶処理を開始する。
【００７１】
すなわち、ＣＰＵ５１は、スキャナ制御部５５を通して原稿の有無をチェックし（ステップＳ６１）、原稿がなければ、本記憶処理を終了する。しかし、原稿があれば、１枚目の原稿を、画像読み取り装置５９、スキャナ制御部５５を介してＶＲＡＭ５３へ読み込み（ステップＳ６３）、また、ディスク制御部５２を介して、光磁気ディスク５７に、分割された画像の１枚目という情報とともに書き込む（ステップＳ６４）。
【００７２】
次に、２枚目の原稿についても、スキャナ制御部５５を介して、ＶＲＡＭ５３へ読み込み（ステップＳ６５）、ディスク制御部５２を介して、光磁気ディスク５７に、分割された画像の２枚目という情報とともに書き込む（ステップＳ６６）。そして、原稿の有無のチェック（上記のステップＳ６１）へ戻る。
【００７３】
次に、操作者は、キーボード６０からのキー入力により、印刷処理をＣＰＵ５１に指示し、図３５に示す印刷処理を開始する。
【００７４】
すなわち、光磁気ディスク５７上の所望の圧縮画像データの特定（分割画像の１枚目の画像）を行なった後、ＣＰＵ１０により、ディスク制御部５２を介して光磁気ディスク５７より圧縮画像データが読み出される（ステップＳ７１）。このとき、圧縮画像データを、不図示の伸長部を通してＶＲＡＭ５３へ格納するように機能する旨の指示が、ＣＰＵ１０よりなされている。
【００７５】
次に、上述した分割データの１枚目と同様に、分割画像の２枚目がＶＲＡＭ５３へ読み込まれる。このとき、分割画像の２枚目は、図３７に示すように、分割画像の１枚目と重ならないよう、ＶＲＡＭ５３へ格納される（ステップＳ７２）。ＶＲＡＭ５３の１枚目と２枚目の間に、画像合成のための基準位置を定め（ステップＳ７３）、１枚目と２枚目のそれぞれの画像に対して斜行調査を行なう。そして、斜行していれば斜行補正を行ない、合成部のエッジデータを検出して、画像を基準位置へ移動し、左右の高さを合わせることにより、２つに分割された画像を１つの画像に合成する（ステップＳ７４）。
【００７６】
ここで、左右の高さを合わせる際、原稿の読み取りを二度に分けて行なっているため、原稿の搬送ムラや斜行補正等により、原稿の長さが僅かに異なっている場合がある。そして、そのまま左右の高さを同じにして画像を合わせると、原稿の内容が少しずつずれて、見にくくなってしまうことがある。
【００７７】
そこで、図３８に示すような１枚目と２枚目にまたがる文字や図形について、その合致するポイントが最大となるように左右の高さを調節する（ステップＳ７５）。これにより、原稿のずれが少ない合成画像が得られる。そして、合成された画像に対しては、上記の実施例と同様に疑似多値化処理を行ない（ステップＳ７６）、それが、プリンタ制御部５４を介して、レーザビームプリンタ５８へ出力される（ステップＳ７７）。
【００７８】
このようにして、本変形例では、スキャナの読み取りサイズより大きな画像を、操作者にとって通常の片面原稿の連続記録のように簡単に、記憶及び出力することができる。
【００７９】
なお、本変形例では、画像の出力時に画像合成を行なっているが、これに限定されず、画像の記憶時に画像合成を行なうようにしても良い。また、本変形例では、ＡＤＦ付きの片面スキャナを用いたが、ハンディスキャナや平床スキャナ、両面スキャナ等を用いても良い。
【００８０】
本発明は、複数の機器から構成されるシステムに適用しても１つの機器から成る装置に適用しても良い。また、本発明は、システムあるいは装置にプログラムを供給することによって達成される場合にも適用できることは言うまでもない。
【００８１】
【発明の効果】
以上説明したように、本発明によれば、読み込みサイズより大きな原稿を平行移動させてたり、上下方向または左右方向を判定させずに、通常サイズの画像と同様に簡単に記録でき、また、画像合成部が目立たないようにできる。
【００８２】
【図面の簡単な説明】
【図１】本発明の実施例に係る画像情報処理装置の基本構成を示すブロック図である。
【図２】実施例に係る画像情報処理装置の詳細構成を示すブロック図である。
【図３】実施例に係る画像情報処理装置の外観図である。
【図４】実施例に係る装置の内部透視図である。
【図５】画像インデックス登録画面の一例を示す図である。
【図６】インデックス画像データファイルの一例を示す図である。
【図７】インデックスの登録または検索画面の一例を示す図である。
【図８】実施例における画像読み取り時の原稿を模式的に示した図である。
【図９】実施例におけるメモリ上に展開された原稿を模式的に示した図である。
【図１０】実施例における入力画素の多値データの一例を示す図である。
【図１１】４×４のディザマトリクスの分割例を示す図である。
【図１２】４×４のディザマトリクスの一例を示す図である。
【図１３】実施例に係る組織的ディザ法を示す図である。
【図１４】実施例における画像合成の処理手順を示すフローチャートである。
【図１５】実施例における画像の斜行調査の処理手順を示すフローチャートである。
【図１６】実施例における斜行調査を説明するための図である。
【図１７】実施例における斜行調査を説明するための図である。
【図１８】実施例における画像の斜行補正の処理手順を示すフローチャートである。
【図１９】実施例における斜行補正を説明するための図である。
【図２０】実施例における斜行補正を説明するための図である。
【図２１】実施例における合成部のエッジデータ検出の処理手順を示すフローチャートである。
【図２２】実施例におけるエッジデータ検出を説明するための図である。
【図２３】実施例における画像の移動処理手順を示すフローチャートである。
【図２４】実施例における画像の移動を説明するための図である。
【図２５】実施例における黒筋除去を説明するための図である。
【図２６】実施例における文書管理ファイルの一例を示す図である。
【図２７】実施例におけるページ管理ファイルの一例を示す図である。
【図２８】実施例におけるｎｏｄｅテーブルの一例を示す図である。
【図２９】実施例における光磁気ディスクの格納領域の一例を示す図である。
【図３０】実施例における論理アドレステーブルの一例を示す図である。
【図３１】実施例におけるファイルアロケーションテーブルの一例を示す図である。
【図３２】変形例における画像情報処理装置の基本構成を示すブロック図である。
【図３３】変形例における装置の全体構成を表わすブロック図である。
【図３４】変形例における記憶処理の手順を示すフローチャートである。
【図３５】変形例における印刷処理の手順を示すフローチャートである。
【図３６】変形例における画像読み取り時の原稿を模式的に示した図である。
【図３７】変形例における分割画像の格納の様子を示す図である。
【図３８】変形例における印刷を説明するための図である。
【符号の説明】
１  原稿
２  原稿台
３ａ，３ｂ  規正板
４  排紙部
５  スクリーン
６  光磁気ディスクの挿入口
７  キーボード
３４  ファンクションキー
２００  画像読取部
２０１  原稿エッジ検知部
２０２  分割疑似多値処理部
２０３  画像合成部
２０４  画像記憶部
【図１】
0003604755.tif 000002
【図２】
0003604755.tif 000003
【図３】
0003604755.tif 000004
【図４】
0003604755.tif 000005
【図５】
0003604755.tif 000006
【図６】
0003604755.tif 000007
【図７】
0003604755.tif 000008
【図８】
0003604755.tif 000009
【図９】
0003604755.tif 000010
【図１０】
0003604755.tif 000011
【図１１】
0003604755.tif 000012
【図１２】
0003604755.tif 000013
【図１３】
0003604755.tif 000014
【図１４】
0003604755.tif 000015
【図１５】
0003604755.tif 000016
【図１６】
0003604755.tif 000017
【図１７】
0003604755.tif 000018
【図１８】
0003604755.tif 000019
【図１９】
0003604755.tif 000020
【図２０】
0003604755.tif 000021
【図２１】
0003604755.tif 000022
【図２２】
0003604755.tif 000023
【図２３】
0003604755.tif 000024
【図２４】
0003604755.tif 000025
【図２５】
0003604755.tif 000026
【図２６】
0003604755.tif 000027
【図２７】
0003604755.tif 000028
【図２８】
0003604755.tif 000029
【図２９】
0003604755.tif 000030
【図３０】
0003604755.tif 000031
【図３１】
0003604755.tif 000032
【図３２】
0003604755.tif 000033
【図３３】
0003604755.tif 000034
【図３４】
0003604755.tif 000035
【図３５】
0003604755.tif 000036
【図３６】
0003604755.tif 000037
【図３７】
0003604755.tif 000038
【図３８】
0003604755.tif 000039